(57)【特許請求の範囲】
【請求項１】
複数の端末機器がシリアルバスを介してそれぞれ接続された複数の光伝送装置により光伝送ネットワークを構築し、前記複数の端末機器の間でデータの送受信を行うための光伝送システムに用いられる光伝送装置であり、前記光伝送ネットワークにおける相手側光伝送装置とのデータ通信が途切れたと判定した場合に、前記複数の端末機器に対してノードアドレスを設定するためのバスリセット信号を送信するリセット通知手段を備えた光伝送装置において、
前記光伝送ネットワークにおけるデータ受信の受信レベルを検出し、該受信レベルと所定のレベルとの比較に基づき、前記光伝送ネットワークにおける前記相手側光伝送装置とのデータ通信が途切れたか否かを判定する光データ検出手段と、
この光データ検出手段により、前記相手側光伝送装置とのデータ通信が途切れたと判定された場合には、前記リセット通知手段から前記バスリセット信号を送信させずに、所定の待機信号を当該光伝送装置に接続されている端末機器に送信開始する一方、前記光データ検出手段により、前記データ通信が途切れていないと判定された場合であって且つ前記所定の待機信号が送信されている場合には、前記所定の待機信号の送信を停止する状態通知手段とを備え、
前記所定の待機信号を送信停止した後に、前記リセット通知手段から前記バスリセット信号を送信させるようにしたことを特徴とする光伝送装置。
【請求項２】
前記光データ検出手段により、前記光伝送ネットワークにおける前記相手側光伝送装置とのデータ通信が途切れたと判定された場合には、前記データ通信を回復させるためのリンク信号を前記相手側光伝送装置に対して送信する一方、前記光データ検出手段により、前記データ通信が途切れていないと判定された場合であって且つ前記リンク信号が送信されている場合には、前記リンク信号の送信を停止する光リンク発生手段を更に備えたことを特徴とする請求項１記載の光伝送装置。
【請求項３】
前記光データ検出手段により、前記光伝送ネットワークにおける前記相手側光伝送装置とのデータ通信が途切れたと判定された場合に、所定の警告を提示する警告手段を更に備えたことを特徴とする請求項１記載の光伝送装置。
【請求項４】
前記シリアルバスは、ＩＥＥＥ１３９４規格に基づくバスであることを特徴とする請求項１記載の光伝送装置。
【発明の詳細な説明】
【０００１】
【発明の属する技術分野】
本発明は、ＬＡＮ等によって構築されるネットワークにおいて、例えばＩＥＥＥ１３９４で規定されるディジタル・シリアルバスに関し、特に、光伝送における送光・受光装置により構築される光伝送装置に関する。
【０００２】
【従来の技術】
近年、パーソナルコンピュータの普及により、例えばイーサネットに代表されるＬＡＮ等のネットワークがオフィス内に整備され、端末機器毎のデータ・情報交換がスムーズに行えるようになっている。パーソナルコンピュータだけでなく、ＩＥＥＥ１３９４シリアルバスのようなディジタルインターフェースを装備したＡＶ機器、プリンタ、パソコン周辺機器等の電子機器による高速ディジタル・ネットワークの要求も高くなっている。
【０００３】
このようなＬＡＮ並びにシリアルバスを利用したネットワークにおいて、携帯性を重視した無線装置の利用も考案されている。例えば特開平１０−１５４９９６号に開示されているように、ＩＥＥＥ１３９４のネットワークとIrDAのような異なるプロトコルのネットワークを無線伝送する構成が考えられている。
【０００４】
しかし、同一プロトコルのネットワーク内で使用する光伝送装置に対する期待も高くなり、光デバイスの高速化により、同一ネットワークの高速伝送を実現することも可能になってきている。すなわち、100BASE-Tネットワーク内の無線伝送装置やＩＥＥＥ１３９４装置内の光伝送装置などが例として挙げられる。
【０００５】
ここで、ＬＡＮやシリアルバスのネットワークに光無線方式を応用する場合、光空間における光遮蔽問題が生じる。特に高速データ用の転送レートでは、転送用の光に収束性・指向性が要求されるため、光無線の拡散受光方式は適さず、ビーム系伝送方式が主流になると考えられる。
【０００６】
ところが、このビーム系伝送方式においては拡散受光と比較して、光データが障害物によって完全に遮蔽されやすいため、人体などによる遮蔽の確率が高くなる。
【０００７】
また、ネットワークの通賃プロトコルとしてＩＥＥＥ１３９４を用いる場合には、光遮蔽とバスリセットとの関係が問題となる。詳述すると、かかるＩＥＥＥ１３９４では、自動バストポロジー設定についても規定するものである。このバスリセットは、通信相手の電源ＯＮ／ＯＦＦやツイストペアケーブルの抜挿時に、バスを初期化し新たなバストポロジーを設定するものである。
【０００８】
そのため、光遮蔽によって受信データが途絶えると、各機器は、それが通信相手の電源ＯＦＦによるものであると判断することとなるため、光遮蔽が生じる度に、ネットワーク上においてバスリセットが始終発生し、例えば、動画転送時に動画がとぎれるなど、データ転送に不便が生じる可能性がある。特に、家庭内ネットワークでは、人体による光遮蔽の頻度も高くなることが予想される。
【０００９】
これを改善するために、上記特開平１０−１５４９９６では、光リンクが確立されているかを判断し、リンクが確立されていなければ、その旨をＩＥＥＥ１３９４バスに通知する構成としている。
【００１０】
【発明が解決しようとする課題】
しかしながら、上述した公報に開示された装置では、光データが遮蔽された場合、常に２回のバスリセットが生じるという問題があった。すなわち、光データが遮蔽されると、遮蔽状態開始時点において１回、その後遮蔽状態が解消し通信が回復した時点で１回、合計２回のバスリセットが行われる。そのため、バスリセットが頻繁に行われることとなり、光伝送が不安定になるという惧れがある。
【００１１】
このようなバスリセットが頻繁に生じるのを防止する方法として、光データがない場合にタイマを作動させ、データが遮断されてもタイマがカウントしている間はバスリセットを行わず、タイマによるカウントが任意のカウント値と等しくなったときにバスのリセット信号を出力する方式が考えられている。
【００１２】
図６は、かかるタイマによるバスリセットの制御を行う方式７００の動作処理を示すフローチャート図である。
【００１３】
同図に示すように、方式７００では、通信が開始されると（Ｓ７０１）、光受信レベルが任意値に達しているか否かの判断をループ処理により繰り返し行う（Ｓ７０２）。そして、光受信レベルが任意値に達していない場合は、光伝送が遮断されていると判断しタイマを作動させる。すなわち、タイムアウト時間を予め設定しておき、ループ処理によりカウントを行い（Ｓ７０３）、カウントが所定のタイムアウト時間と一致した時点で、バスリセットを発生させ（Ｓ７０４）、通信を中断しネットワークの初期化を行う（Ｓ７０５）。
【００１４】
この方式７００によれば、タイマのカウント中に光遮蔽状態が解消された場合には、通信が回復したときに初めてバスリセットが行われるため、バスリセットの回数を低減することができる。
【００１５】
ところが、この方式７００では、光遮蔽状態が長時間継続した場合には、バスリセットの発生する回数は、光遮蔽後且つタイマのタイムアウト後に１回、光遮蔽状態が解消し通信状態が復旧した後に１回行われることとなるという問題がある。すなわち、タイマのカウント中に通信状態が復旧しない場合には、結局従来と同様、計２回のバスリセットが発生することとなり、円滑なデータ通信を図ることができない惧れがある。
【００１６】
そこで、本発明は以上の点に鑑みなされたもので、バスのトポロジーを決定するネットワークのリセット信号を、最低の回数に低減することができる好適な光伝送装置を提供することを目的とする。
【００１７】
【課題を解決するための手段】
上記した課題を解決するために、本発明は下記（１）〜（４）の構成を有する光伝送装置を提供する。
（１）  複数の端末機器がシリアルバスを介してそれぞれ接続された複数の光伝送装置により光伝送ネットワークを構築し、前記複数の端末機器の間でデータの送受信を行うための光伝送システムに用いられる光伝送装置であり、前記光伝送ネットワークにおける相手側光伝送装置とのデータ通信が途切れたと判定した場合に、前記複数の端末機器に対してノードアドレスを設定するためのバスリセット信号を送信するリセット通知手段を備えた光伝送装置において、
前記光伝送ネットワークにおけるデータ受信の受信レベルを検出し、該受信レベルと所定のレベルとの比較に基づき、前記光伝送ネットワークにおける前記相手側光伝送装置とのデータ通信が途切れたか否かを判定する光データ検出手段と、
この光データ検出手段により、前記相手側光伝送装置とのデータ通信が途切れたと判定された場合には、前記リセット通知手段から前記バスリセット信号を送信させずに、所定の待機信号を当該光伝送装置に接続されている端末機器に送信開始する一方、前記光データ検出手段により、前記データ通信が途切れていないと判定された場合であって且つ前記所定の待機信号が送信されている場合には、前記所定の待機信号の送信を停止する状態通知手段とを備え、
前記所定の待機信号を送信停止した後に、前記リセット通知手段から前記バスリセット信号を送信させるようにしたことを特徴とする光伝送装置。
（２）  前記光データ検出手段により、前記光伝送ネットワークにおける前記相手側光伝送装置とのデータ通信が途切れたと判定された場合には、前記データ通信を回復させるためのリンク信号を前記相手側光伝送装置に対して送信する一方、前記光データ検出手段により、前記データ通信が途切れていないと判定された場合であって且つ前記リンク信号が送信されている場合には、前記リンク信号の送信を停止する光リンク発生手段を更に備えたことを特徴とする上記（１）記載の光伝送装置。
（３）  前記光データ検出手段により、前記光伝送ネットワークにおける前記相手側光伝送装置とのデータ通信が途切れたと判定された場合に、所定の警告を提示する警告手段を更に備えたことを特徴とする上記（１）記載の光伝送装置。
（４）  前記シリアルバスは、ＩＥＥＥ１３９４規格に基づくバスであることを特徴とする上記（１）記載の光伝送装置。
【００１８】
上記（１）〜（４）の構成を有する光伝送装置によれば、例えば光遮蔽等によってデータの送受が途切れた場合に、リセット機能が実行されるのを抑止するとともに、光遮蔽状態の間、待機信号を電子機器に対して送信するため光伝送の安定化を図ることができる。
【００２０】
また、上記（１）〜（４）の構成を有する光伝送装置によれば、光伝送が遮断された後であって光伝送が回復したときに初めてリセット機能を実行させるため、光遮蔽等により光伝送が遮断された場合、１回のみリセット機能を実行することとなり、円滑な光伝送を実現することができる。
【００２１】
【発明の実施の形態】
（光伝送システム１０の全体構成）
本発明の実施の形態について図面を参照しながら説明する。図４は、光伝送システム１０の全体構成を示す説明図である。同図に示すように、光伝送システム１０は、建屋内に設置されるものであり、建屋の天井や壁等に設置されるサテライト型光伝送装置１及び１１と、建屋内に配置された電化製品３１〜３６に各々設けられた子機型光伝送装置２との間で光無線を行うことによって構築されるワイヤレス・ネットワークである。
【００２２】
詳述すると、この光伝送システム１０は、デジタル衛星放送を受信するパラボナアンテナ５１〜５３や、デジタルＣＡＴＶ回線７、ＦＴＴＨ１５６Mbps回線６等の外部ケーブル通信からのデータを、配線９１〜９３通じてデータコンセントレータ８を介し、メディアボックス４に蓄積しておき、このメディアボックス４に蓄積されたデータを配線９５を介してサテライト型光伝送装置１及び１１に送出し、これらのサテライト型光伝送装置１及び１１を介して各子機型光伝送装置２に配信することによって、各電化製品（端末機器）３１〜３６にデータの送信を行うものである。
【００２３】
電化製品３１〜３６は、例えば10BASE-T、100BASE-TのようなＬＡＮや、ＩＥＥＥ１３９４といったシリアルバスで使用される情報機器であり、パーソナルコンピュータ、ＡＶ機器、ＨＵＢ、リピータ、コンピュータ周辺機器などがある。なお、この電化製品３１〜３６は、個別機器である必要はなく、複数の端末機器を相互に接続して構成された端末機器群（ネットワーク）であってもよい。なお、本実施形態における電化製品３１〜３６は、具体的には、ＨＤモニタ３１、ＤＶＤデッキ３２、ＳＥＴＴＯＰＢＯＸ３３、D-VHSデッキ３４、パソコン３５、ムービーカメラ装置３６等である。
【００２４】
サテライト型光伝送装置１１は、幹線ＩＥＥＥ１３９４の配線９５に接続された端子１２に、必要に応じてケーブル９６を介して接続されるものであり、サテライト型光伝送装置１による光通信が十分に行えない位置にある電化製品に対して光伝送を行う補助的な伝送装置である。
【００２５】
そして、このような構成の光伝送システム１０においては、その通信プロトコルとしてＩＥＥＥ１３９４が利用されている。このＩＥＥＥ１３９４とは、光伝送によるデータの送受が途切れたときに、ネットワークに接続された複数の端末機器に対してノードアドレス（バスのトポロジー）を設定するバスリセット（リセット機能）に関する規格を有する通信プロトコルの一つである。
【００２６】
すなわち、このＩＥＥＥ１３９４の下では、例えば、ネットワーク上の端末機器の数が増減した場合には、既に割り振られたノードアドレスの初期化が行われ、増減後の端末機器に対してノードアドレスを再設定すべくバスリセットが行われる。また、このＩＥＥＥ１３９４の下では、例えば、人体等の障害物によって光伝送が遮断された場合には、ネットワーク上の端末機器の数が減少したと判断され、バスリセットが実行されることとなる。
【００２７】
（光伝送装置１，２，１１の構成）
以下に上述したサテライト型光伝送装置１、１１及び子機型光伝送装置の構成について詳述する。図２は、メディアボックス４や電子機器３１〜３６等の端末機器１００に接続されたサテライト型光伝送装置１（１１）及び子機型光伝送装置の概略構成を示すブロック図である。
【００２８】
同図に示すように、サテライト型光伝送装置１（１１）及び子機型光伝送装置２は、ＬＡＮやシリアルバスといったネットワークで使用されるツイストペア信号を光伝送する装置であり、本実施形態では、メディアボックス４等の端末機器１００との間でデータの送受信を行うトランシーバ部１０１と、トランシーバ部１０１から受信した信号を光送信データに相応したようにデータを符号化する符号変換部１０２と、通信相手である他の光伝送装置とデータの送受を行う光送信部１０３及び光受信部１０４と、光受信部１０４が受信した信号のレベルを検出する光データ検出部１０５と、通信状態を端末機器１００へ通知する状態通知部１０６と、光伝送が遮蔽状態にあるときに所定のデータを発生させる光リンク発生部１０７とから概略構成される。
【００２９】
トランシーバ部１０１は、端末機器１００との間で送受信を行うもので、例えば、100BASE-TXならばMLT3値変調及び２値NRZI符号変換を含んでもよい。
【００３０】
符号変換部１０２は、トランシーバ部１０１から受信した信号を光送信データに相応したようにデータを符号化したり、また光受信部１０４によって空間より受信した信号を符号変換機能を持つものである。なお、この符号変換部１０２は、例えばスクランブル／デスクランブル機能、ｍビットからｎビット（ｍ、ｎは整数で例えばＦＤＤＩならば４ビットと５ビット）へ変換する機能などがある。なお、コスト削減を重視するシステムや装置では、符号変換部１０２を省略する場合もある。ここで、符号変換部１０２が動作するためには光受信データからクロックを再生する機能や装置の同期化機能、さらに100BASE-TやＩＥＥＥ１３９４の規定のスピードネゴシエイション機能も必要となるが図示しないものとする。
【００３１】
なお、例えば端末機器１００に接続された機器が、100BASE-TX対応であり、100Mbps相当（実際のデータ転送速度は125Mbps）の光無線送受信機を想定する場合には、トランシーバ部１０１は、ドライブ／レシーブ機能とMLT3値変調＝２値NRZI変換機能を持つことが望ましい。
【００３２】
前記光データ検出部１０５は、光受信部１０４で受信した信号が任意のレベル以上か否かを検出することによって、光伝送が正常に行われているか、否かを判断するものである。すなわち、光受信部１０４が受信する信号が一定レベルを下まわるときには、いわゆる遮蔽状態にあると判断する。
【００３３】
状態通知部１０６は、子機型伝送装置との間における光伝送が遮断された場合に、ＩＥＥＥ１３９４によるバスリセットが実行されるのを抑止するためのアイドル信号（待機信号）を、受信が途切れた端末機器１００に対して送信するものである。
【００３４】
具体的には、光データ検出部１０５が、光遮蔽や十分な光受信信号レベルを確保できない場合に、光受信部１０４にて受信した信号とは依存していないというアイドル状態を端末機器１００へ通知するために、受信データの代替信号として例えばアイドル信号を送出するものである。
【００３５】
状態通知部１０６の出力するアイドル信号としては、例えば100BASE-T、ＦＤＤＩならば「I」コードからなる信号であったり、ＩＥＥＥ１３９４ならばトランシーバ部１０１の出力をハイインピータンスにするものが考えられる。また、アイドル状態だけでなく、ネットワーク内のプロトコルに合致した任意のパケットデータを生成し、周期的に出力する手段であってもよい。
【００３６】
前記光リンク発生部１０７は、光データの受信が途切れた際に、受信されるべきデータを送信した子機型光伝送装置に向けて、光伝送による接続を回復させるためのリンク信号を発信するものである。すなわち、アイドル状態の間、この光リンク発生部１０７は、特定のリンク信号を繰り返し発生させ、光送信部１０３を介して送出する。このリンク信号としては、任意の周波数を繰り返したものや、パケットデータを用いることができる。このリンク信号が光遮蔽状態が解消された直後に通信相手に受信されることによって、通信相手に対し光伝送が確立されていなかった旨を通知できるとともに、例えば、この信号をサーチすることによって、光伝送のリンクを回復させるための光軸調整を設定することも可能となる。
【００３７】
そして、光遮蔽状態が解消されたときには、光受信データの受信レベルが十分であると判断され、状態通知部１０６と光リンク発生部１０７の出力が行われていなければ、端末機器１００や光送信部１０３への出力を止め、端末機器１００の送信する信号を光送信部１０３を介し送信する。また、光受信データは符号変換部１０２を介し、端末機器１００へ転送される。従って、端末機器１００間での光送受信が可能となる。
【００３８】
このような光伝送システム１０によれば、光遮蔽が生じても端末機器ではアイドル状態が保たれるため、端末やシステム全体の安定度を増すことができる。さらに、光伝送路の確立を促す信号を光リンク発生部１０７が出力するため、遮蔽状態の復旧や光軸調整なども容易に行える。
【００３９】
（変形例）
なお、本発明は上述した実施形態に限定されるものではなく、例えば、図３に示すように、光データ検出部１０５からの検出結果に基づいて、光受信部１０４からのデータと状態通知部１０６からのデータとを切り換えて符号変換部１０２に送出するための切り換えるスイッチＳＷ１を設けることもできる。このスイッチＳＷ１によれば、光受信部１０４からの不定なデータが符号変換部１０２に入力される前に、状態通知部１０６の信号を符号変換部１０２に入力することができる。
【００４０】
［第２実施形態］
次に、第２の実施形態について説明する。図４は、光伝送装置２００の概略構成を示すブロック図である。同図に示すように、光伝送装置２００は、上述した光伝送装置（サテライト型光伝送装置１，１１及び子機型光伝送装置２）の構成に加えて、リセット通知部１０８、ヒューマンインターフェース１０９、警告部１１０、電源管理部１１１を備えている。
【００４１】
リセット通知部１０８は、例えばＩＥＥＥ１３９４におけるバストポロジーを決定するリセット信号を出力するものであり、本実施形態では、このリセット通知部１０８は、光データ検出部１０５から出力される検出結果に基づいて動作する他、ヒューマンインターフェース１０９によっても動作される。なお、このリセット通知部１０８が出力する信号は、ＩＥＥＥ１３９４の場合、「バスリセット」信号である。この場合、直接トランシーバ部１０１をコントロールし、バスを規定の時間中ハイレベルに固定する構成が考えられる。
【００４２】
また、このリセット通知部１０８には、タイマ機能を設けて、アイドル状態が長時間継続する場合には、強制的にリセット信号を発生させる機能を設けることが好ましい。
【００４３】
ヒューマンインターフェース１０９は、ユーザーの判断によってリセット通知部１０８を起動させるものである。このヒューマンインターフェース１０９としては、例えばプッシュスイッチやＤＩＰスイッチなどを用いることができる。このヒューマンインターフェース１０９によれば、ユーザーの判断に基づいて、いつでもバスやネットワークの初期化を行うことができる。
【００４４】
前記警告部１１０は、光伝送路にて光が遮蔽されていることをユーザーに知らせるためのものである。この警告部１１０は、光データ検出部１０５の検出結果に基づいて、光データが所定のレベル以下ならば、ユーザーに音や表示器で警告するものである。この警告部１１０としては、例えばスピーカーや可視ＬＥＤ、ディスプレイ、液晶モニタなどを用いることができる。
【００４５】
電源管理部１１１は、装置の電源がＯＦＦになる直前にリセット通知部１０８を動作させるためのものである。すなわち、通信相手である他の端末機器は、光データが長時間途切れている場合に、リセット通知部１０８を動作させ、端末機器１００や通信相手となる光送受信機にリセットを通知する。これによって、光データの遮断が発生する前に、通信相手に対して、光データの遮断が長時間にわたる光遮蔽によるものか、若しくは電源ＯＦＦによるものかを通知することができ、不要なデータ不通状態が生じるのを予め防止することができる。
【００４６】
なお、この電源管理部１１１による通知の後では、装置の一部を電源ＯＦＦにしてもよく、例えば光データ検出部１０５の電源はＯＮにしたまま、他の回路は電源ＯＦＦにし、光データ検出部１０５にて光データを検出した場合には、装置全体を電源ＯＮしてもよい。
【００４７】
（動作処理）
このような構成の光伝送装置２００の動作処理は以下のように行われる。図５は、光伝送装置２００の動作処理３００を示すブロック図である。
【００４８】
同図に示すように、光通信が開始されると（Ｓ３０１）、光通信が正常に行われているか否かの監視を行う。すなわち、光受信レベルが所定の値に達しているかを判断し（Ｓ３０２）、光受信レベルが所定値に達していれば、状態通知部１０６及び光リンク発生部１０７が出力をしているかを判断する（Ｓ３０４）。
【００４９】
光受信レベルが所定値に達しており、且つ状態通知部１０６及び光リンク発生部１０７が出力中でなければ、光通信は正常に行われていることとなる。光通信が正常に行われていれば、これらステップＳ３０２とＳ３０４はループを形成し、繰り返し処理され光通信の状態を監視し続ける。なお、本実施形態では、このループ処理の間に、通信相手である他の端末機器の電源管理部１１１から電源をＯＦＦとする旨の通知があったときは、以下に説明する処理を行うことなく、強制的にリセット通知部１０８を起動させてバスリセットを発生させる。
【００５０】
一方、例えば光伝送装置間に障害物が介在する等の原因によって光遮蔽状態が発生すると、ステップＳ３０２において光受信レベルが所定値に達していないと判断され、状態通知部１０６と光リンク発生部１０７がアイドル信号等の出力を開始する（Ｓ３０３）。光遮蔽状態が続く限り、ステップＳ３０２とステップＳ３０３はループを形成し、光遮蔽状態が解消されるまで、この処理がくり返されることとなる。
【００５１】
なお、この光遮蔽状態によるループ処理の間、本実施形態では、警告部１１０による警告を出力する。また、このループ処理が開始されたと同時に、リセット通知部１０８のタイマ機能を作動させ、ループ処理が長時間継続されるときには、強制的にリセット通知部１０８を起動させ、バスリセットを発生させるようにしてもよい。さらに、ヒューマンインターフェース１０９をユーザーが操作することによっても強制的に、ループ処理を終了させ、バスリセットを発生させることもできる。
【００５２】
そして、光遮蔽状態が解消されると、ステップＳ３０２において光受信レベルが所定値に達していると判断され、ステップＳ３０４の判断を行うこととなる。光遮蔽状態が解消された直後にあっては、状態通知部１０６と光リンク発生部１０７によるアイドル信号の出力は継続されているため、ステップＳ３０４において出力中であると判断され、ステップＳ３０５に進むこととなり、状態通知部１０６と光リンク発生部１０７の出力が停止される（Ｓ３０５）。
【００５３】
状態通知部１０６と光リンク発生部１０７の出力が停止された後、リセット通知部１０８によってリセット信号が発せられてバスリセットが実行され（Ｓ３０６）、光通信が停止される（Ｓ３０７）。なお、このリセット信号は、符号変換部１０２によって符号変換した後に、光送信部１０３を介し通信相手の光送受信装置に転送されてもよい。
【００５４】
このような本実施形態に係るフロー制御によれば、光データ検出部１０５で光受信データの受信レベルが確保されたときの１回のみリセット信号が出力されることとなり、不要なバスリセットが生じるのを低減させることができる。
【００５５】
そして、本実施形態に係る光伝送装置２００によれば、光受信レベルが任意値以下の場合、遮蔽が起きた際は状態通知部によって端末機器１００へアイドルなどの特定な状態が通知されるため、光送受信装置がバスリセット信号を出力することはない。また、光受信レベルが確保された場合、状態通知部が出力していれば、停止し、リセット通知部１０８によってバスリセット信号が出力される。従って、光受信データの代わりに端末機器１００へ任意なバス状態を通知することが可能なため、光遮蔽直後にバスを初期化する信号を出力しなくてもよい。
【００５６】
【発明の効果】
以上説明したように本発明によれば、ＬＡＮやシリアルバスなどで光無線装置を使用する場合に、光伝送路上にて光遮蔽が生じても、端末機器やシステムの安定化を保つのみならず、システムの必要なリセット回数を少なくすることによって、データ転送サービスの向上を図ることができる。
【図面の簡単な説明】
【図１】  光伝送システムの全体構成を示す説明図である。
【図２】  図１に示す光伝送システムで用いられる光伝送装置の構成を示すブロック図である。
【図３】  図２に示す構成とは異なる光伝送装置の構成を示すブロック図である。
【図４】  本発明の実施の形態に係る光伝送装置の構成を示すブロック図である。
【図５】  図４の伝送装置に係る光伝送システムの動作処理を示すフローチャート図である。
【図６】  従来の光伝送システム方式の動作処理を示すフローチャート図である。
【符号の説明】
１，１１…サテライト型光伝送装置、２…子機型光伝送装置、
１００…端末機器、１０１…トランシーバ部、１０２…符号変換部、
１０３…光送信部、１０４…光受信部、１０５…光データ検出部、
１０６…状態通知部、１０７…光リンク発生部
【図１】
0004016519.tif 000002
【図２】
0004016519.tif 000003
【図３】
0004016519.tif 000004
【図４】
0004016519.tif 000005
【図５】
0004016519.tif 000006
【図６】
0004016519.tif 000007